(57)【要約】      （修正有）【課題】うがい時に口から吐き出された水が、水滴飛散防止ネット構造体に衝突後に分散することで水の勢いを分散させることにより飛び散らないようにすることで飛散するのを防止する。【解決手段】洗面台等に配置することにより、洗面台に落下した水滴が跳ね返って飛散するのを防止するための水滴飛散防止ネット構造体１であって、半球状に膨出させた金属製で大きさの異なる３つの網状体２ａ，２ｂ，２ｃを、それらの開放周縁が同一面上で同心となるように位置させ、かつ、長尺な棒状部材３，３を、網状体２ａ，２ｂ，２ｃの開放面の略中心を通る直線上に位置させた状態で、それらの複数の網状体２ａ，２ｂ，２ｃと棒状部材３，３とを接合（溶接）することによって形成されている。【選択図】図１
2016164364.tif 000002
【特許請求の範囲】
【請求項１】
複数の網状体が所定の間隔で多層に重ねられた構造を有しており、
洗面台の排出口等に配置して落下した水が跳ね返るのを防止する水滴飛散防止ネット構造体。
【請求項２】
半球状あるいは半楕円体状に膨出させた金属製で大きさの異なる複数の網状体を、それらの開放周縁が同一面上で同心となるように位置させ、かつ、長尺な棒状部材を、前記複数の網状体の開放面の略中心を通る直線上に位置させた状態で、それらの複数の網状体と棒状部材とを接合することによって形成されていることを特徴とする請求項１に記載の水滴飛散防止ネット構造体。
【請求項３】
片面を開放した略円柱状あるいは略楕円柱状に形成されており、内部に少なくとも一つ以上の水平面が設けられた金属製の網状体からなることを特徴とする請求項１に記載の水滴飛散防止ネット構造体。
【請求項４】
２本の棒状部材が、網状体の開放面の略中心を通る異なる直線上に、互いに直交するように配置されていることを特徴とする請求項１、または請求項２に記載の水滴飛散防止ネット構造体。
【請求項５】
最も外側に位置した半球状あるいは半楕円体状の網状体の頂点、または、略円柱状あるいは略楕円柱状に形成された網状体の上端面の中心に掴持部材が設置されていることを特徴とする請求項１〜４のいずれかに記載の水滴飛散防止ネット構造体。
【発明の詳細な説明】
【技術分野】
【０００１】
本発明は洗面台等でうがいをする際、口から吐き出されたうがい水が洗面台に落下した時の勢いで跳ね返り、その後水滴が飛散して洗面台から飛び散るのを防止するための水滴飛散防止ネット構造体に関する。
【背景技術】
【０００２】
流し台等において食器等を洗浄する際、食器洗浄の際生じた汚れた水滴が飛散し作業者の衣服を汚してしまうため、一般的にはエプロンや前掛け等を使用して洗浄作業をしている。さらに、流し台等を使用する時に生じる水の飛散を防ぎ、洋服や足元が濡れないように流し台に水はね防止板等を設置することで、食器等を洗浄する際に生じる水の飛散を防ぎ、洋服や足元を濡れないようにすることも知られていた。しかしながら、通常うがいをする際に前掛けやエプロンをすることはほとんど無い。従って、口から吐き出されたうがい水が、洗面台に落ちた時の勢いで跳ね返り、その後水滴が飛散して洗面台から飛び散ってしまい洋服等を汚してしまっていた。
【０００３】
特許文献１には、「スピットン本体に回動自在に装着されたうがい装置であって、該うがい装置は、うがい鉢と該うがい鉢の上縁周部に着脱自在に被せることのできるキャップ部材と、前記うがい鉢を支えかつ該うがい鉢に吐き出されたうがい水を排水する配水管を有する支持部材とから成り、前記キャップ部材は、前記うがい鉢の上縁周部全体に亘って着脱自在に装着されるキャップ部と該キャップ部から延長するアーム部とから成り、該アーム部は、周辺部が前記キャップ部の上面と略同一高さの堤みに形成され、該堤みの内側は平面の溝部に形成され、該溝部の平面に連通する前記キャップの上面は該溝部の平面と同一面に形成されていることを特徴とする歯科用うがい装置（特許文献１：請求項１。」
が開示されている。
【先行技術文献】
【特許文献】
【０００４】
【特許文献１】特開２００８−１４２４７２号公報
【発明の概要】
【発明が解決しようとする課題】
【０００５】
特許文献１に係る発明は、歯科用のうがい装置に関する技術であって、患者がうがい鉢にうがい水を吐き出した時に飛散するうがい水が、うがい鉢の内壁面を伝って外部に飛散するのを防止するための飛散防止用キャップ（鰐部）をうがい鉢の上部周縁に着脱自在に装着可能にしたものである。即ち、汚れた水滴等が飛び散るのを防ぐものではなく、飛び散るのを前提として、飛び散った水滴をさらに飛散させないようにすることにより洋服等が汚れないようにするという消極的なものであった。
【０００６】
本発明の目的は、洗面台等でうがいをする際に、口から吐き出したうがい水の勢いを減じることにより、洗面台に落ちた時の勢いで跳ね返らないようにすることで、その後水滴が飛散して洗面所から飛び散るのを防止するための水滴飛散防止ネット構造体を提供することにある。
【課題を解決するための手段】
【０００７】
請求項１に記載された発明は、複数の網状体が所定の間隔で多層に重ねられた構造を有しており、洗面台の排出口等に配置して落下した水が跳ね返るのを防止する水滴飛散防止ネット構造体である。
【０００８】
請求項２に記載された発明は、請求項１に記載された発明において、半球状あるいは半楕円体状に膨出させた金属製で大きさの異なる複数の網状体を、それらの開放周縁が同一面上で同心となるように位置させ、かつ、長尺な棒状部材を、前記複数の網状体の開放面の略中心を通る直線上に位置させた状態で、それらの複数の網状体と棒状部材とを接合することによって形成されていることを特徴とするものである。
【０００９】
請求項３に記載された発明は、請求項１に記載された発明において、片面を開放した略円柱状あるいは略楕円柱状に形成されており、内部に少なくとも一つ以上の水平面が設けられた金属製の網状体からなることを特徴とするものである。
【００１０】
請求項４に記載された発明は、請求項１、または請求項２に記載された発明において、２本の棒状部材が、網状体の開放面の略中心を通る異なる直線上に、互いに直交するように配置されていることを特徴とするものである。
【００１１】
請求項５に記載された発明は、請求項１〜４のいずれかに記載された発明において、最も外側に位置した半球状あるいは半楕円体状の網状体の頂点、または、略円柱状あるいは略楕円柱状に形成された網状体の上端面の中心に掴持部材が設置されていることを特徴とするものである。
【発明の効果】
【００１２】
請求項１の水滴飛散防止ネット構造体は、複数の網状体が所定の間隔で多層に重ねられた構造を有している。それゆえ、請求項１の水滴飛散防止ネット構造体を洗面台の排出口等に配置して、うがいをする際に、うがい水を水滴飛散防止ネット構造体の網状体に向けて吐き出すようにすれば、多層に配置された網状体によって、吐き出されたうがい水の勢いを効果的に減殺して、洗面台の表面に強くたたきつけられないようにすることができる。そのように、吐出されたうがい水の勢いを減殺し、洗面台の表面に強くたたきつけられないようにすることで、水滴が洗面台の外側へ飛び散る事態を防止することができる。
【００１３】
請求項２の水滴飛散防止ネット構造体は、半球状あるいは半楕円体状に膨出させた金属製で大きさの異なる複数の網状体を、それらの開放周縁が同一面上で同心となるように長尺状の棒状部材によって固着した構造を有しているため、吐出されたうがい水の勢いをより効果的に減殺することができ、水滴が洗面台の外側へ飛び散る事態を高い精度で防止することができる。また、請求項１の水滴飛散防止ネット構造体は、コンパクトに形成することができ上、強度が高く、長期間に亘って使用した場合でも変形しにくい。
【００１４】
請求項３の水滴飛散防止ネット構造体は、片面を開放した略円柱状あるいは略楕円柱状に形成されており、内部に少なくとも一つ以上の水平面が設けられた金属製の網状体からなるものであり、形状がシンプルであるため、容易に製造することができる。また、また、請求項２の水滴飛散防止ネット構造体は、強度が非常に高く、衝撃を受けた場合でも変形しにくい。
【００１５】
請求項４に記載の水滴飛散防止ネット構造体は、２本の棒状部材を網状体の開放面の略中心を通る異なる直線上に互いに直交するように配置したものであり、少ない部品点数で、複数の網状体が位置ずれしないように強固に固定されているため、製造コストが安価である上、非常に長期間に亘って使用された場合でも変形しにくい。
【００１６】
請求項５に記載の水滴飛散防止ネット構造体は、網状体の上部に掴持部材（摘まみ）が設置されているので、持ち運びや移動させるのに非常に便利である。
【図面の簡単な説明】
【００１７】
【図１】水滴飛散防止ネット構造体の全体斜視図である。
【図２】水滴飛散防止ネット構造体の使用方法を示す説明図である。
【図３】水滴飛散防止ネット構造体の断面図である。
【図４】水滴飛散防止ネット構造体の変更例を示す説明図である（ａは平面図であり、ｂはａにおけるＡ−Ａ線断面図である）。
【図５】水滴飛散防止ネット構造体の変更例を示す説明図である（ａは平面図であり、ｂはａにおけるＡ−Ａ線断面図である）。
【図６】水滴飛散防止ネット構造体の変更例を示す説明図である（ａは平面図であり、ｂはａにおけるＡ−Ａ線断面図である）。
【発明を実施するための形態】
【００１８】
＜水滴飛散防止ネット構造体の構造＞
以下、本発明に係る水滴飛散防止ネット構造体の一実施形態について、図１〜図３に基づいて詳細に説明する。図１は、本発明に係る水滴飛散防止ネット構造体の全体斜視図である。図１に記載したように、水滴飛散防止ネット構造体１は、複数の網状体２ａ，２ｂ，２ｃ、棒状部材３，３、掴持部材６、およびゴム部材５を一体的に組み付けることによって構成されている。
【００１９】
各網状体２ａ，２ｂ，２ｃは、ステンレスによって、直径の異なる開放された半球形状に形成されており（すなわち、ステンレス製の金網を半球形状に屈曲させたものであり）、それぞれの開放面（開放周縁）が同一面で同心となるような位置に設置されている。そして、外側の網状体２ａは、開放面（開放周縁）の直径が約１２０ｍｍであり、中間の網状体２ｂは、開放面の直径が約１００ｍｍであり、内側の網状体２ｃは、開放面の直径が約８０ｍｍである。また、外側の網状体２ａの高さは、約６０ｍｍであり、中間の網状体２ｂの高さは、約５０ｍｍであり、内側の網状体２ｃの高さは、約４０ｍｍである。さらに、網状体２ａ，２ｂ，２ｃの網目は、□１ｍｍ〜２ｍｍ程度（約１０メッシュ）になっている。
【００２０】
また、それらの網状体２ａ，２ｂ，２ｃの開放面の下側に、棒状部材３，３が設置されている。棒状部材３，３は、ステンレスによって、長尺な直径約２ｍｍの円柱状に形成されており、網状体２ａ，２ｂ，２ｃの開放面の略中心を通る異なる直線上に位置し、かつ、互いに直交するように配置されている。そして、網状体２ａ，２ｂ，２ｃの開放周縁と棒状部材３，３との接合点を溶接することによって、網状体２ａ，２ｂ，２ｃと棒状部材３，３とが一体になっている。
【００２１】
一方、掴持部材６は、ステンレス製で長尺な直径約２ｍｍの針金（円柱状体）の先端を円弧状に屈曲させることによって形成されており、長さ約２０ｍｍの支柱７の先端（上端）に円形（約１５ｍｍφ）のリング体４が付設されている。そして、当該掴持部材６は、支柱７が網状体２ａ，２ｂの頂点を貫き、支柱７の基端（下端）、中央、先端が、それぞれ、網状体２ｃの頂点、網状体２ｂの頂点、網状体２ａの頂点に溶接されて、リング体４が、網状体２ａの頂点から上方へ突出した状態になっている。
【００２２】
また、外側の網状体２ａの開放面の周縁には、長尺な円柱状（約３ｍｍφ）のゴム部材５が固着（熱融着）されており、洗面台等に設置する場合に、音がしないように、かつ、洗面台に傷が付かないようになっている。
【００２３】
＜水滴飛散防止ネット構造体の使用方法および作用＞
図２は、上記の如く構成された水滴飛散防止ネット構造体１の使用方法を示す説明図であり、図３は、水滴飛散防止ネット構造体１の作用を示す説明図である。図２の如く、水滴飛散防止ネット構造体１は、使用にあたっては、洗面台の中心付近に置くだけである。そして、うがいをする際に、水滴散防止ネット構造体１の網状体２ａ（網目：□１ｍｍ〜２ｍｍ程度）に向かって（目標にして）、うがい水を吐き出すようにする。そのように口から吐き出されたうがい水は、３層の網状体２ａ，２ｂ，２ｃに衝突する毎に、分散されるとともに、その勢いが減殺されることとなる。
【００２４】
＜水滴飛散防止ネット構造体の効果＞              
水滴飛散防止ネット構造体１は、上記の如く、半球状に膨出させた金属製で大きさの異なる３つの網状体２ａ，２ｂ，２ｃを、それらの開放周縁が同一面上で同心となるように位置させ、かつ、長尺な棒状部材３，３を、網状体２ａ，２ｂ，２ｃの開放面の略中心を通る直線上に位置させた状態で、それらの複数の網状体２ａ，２ｂ，２ｃと棒状部材３，３とを接合（溶接）することによって形成されている。そのように、水滴飛散防止ネット構造体１の網状体２ａ，２ｂ，２ｃは、多重構造（多層構造）になっているため、図３の如く、複数回に亘って吐き出されたうがい水の分散と減速を繰り返すことで、勢いを弱めることができる。そのように洗面台に落ちたときの勢いで跳ね返らないようにすることで、その後水滴が洗面所から飛び散るのを防止することができる。
【００２５】
また、水滴飛散防止ネット構造体１は、２本の棒状部材３，３を網状体２ａ，２ｂ，２ｃの開放面の略中心を通る異なる直線上に互いに直交するように配置したものであり、少ない部品点数で、網状体２ａ，２ｂ，２ｃが位置ずれしないように強固に固定されているため、製造コストが安価である上、長期間に亘って使用された場合でも変形しにくい。
【００２６】
さらに、水滴飛散防止ネット構造体１は、掴持部材６のリング体４（摘まみ）が網状体２ａ，２ｂ，２ｃの上部に、上方に突出するように設置されているので、持ち運びや移動させるのに非常に便利である。
【００２７】
＜水滴飛散防止ネット構造体の変更例＞
本発明に係る水滴飛散防止ネット構造体の構成は、上記した各実施形態の態様に何ら限定されるものではなく、網状体、棒状部材、掴持部材、ゴム部材等の構成を、本発明の趣旨を逸脱しない範囲で、必要に応じて適宜変更することができる。
【００２８】
たとえば、網状体は、上記実施形態の如く、半球形状のものに限定されず、図４の如き半楕円体状のものや、円錐状や円錐台状のものでも良い。また、網状体は、図５の如く、片面を開放した略円柱状（あるいは略楕円柱状）で内部に一つ以上の水平面（網目板）８，８が設けられたものでも良い。また、図６の如く、複数の板状の網目板９，９・・を鉛直な支柱１０，１０・・によって所定の間隔で平行に（水平状に）配置させた構造を有するもの等でも良い。なお、かかる構成を採用する場合には、網目板９，９・・の形状は円形に限定されず、楕円形や矩形に変更可能であるし、支柱の数も、必要に応じて適宜変更することができる。そのように網状体の構造を変更した場合であっても、水滴飛散防止ネット構造体は、洗面台の排出口等に配置し、うがいをする際にうがい水を網状体に向けて吐き出すようにすれば、うがい水の勢いを減殺して、洗面台の表面に強くたたきつけられないようにすることによって、水滴が洗面台の外側へ飛び散る事態を防止することができる。
【００２９】
加えて、上記実施形態においては、網状体は３重構造になっているが、２重構造のものでも良いし、より減速効果を高めるために、４重構造や５重以上の構造にしても良い（多重であればあるほど効果は大きくなる）。図５の如き形状の網状体においては、水平面（網目板）８を３枚以上にすることも可能であるし、反対に、多重構造とせずに、一重の網状体とすることも可能である。
【００３０】
また、本発明に係る水滴飛散防止ネット構造体は、上記実施形態の如く、網状体の各層を同一間隔で平行に配置させたものに限定されず、必要に応じて、各層の間隔を異ならせることも可能である（たとえば、外側の層と中間の層との間隔を、中間の層と内側の層との間隔よりも長くすることも可能である）。
【００３１】
さらに、網状体の大きさは、必要に応じて適宜変更することができる。なお、上記実施形態の如く、網状体を半球状の３層構造を有するものとする場合には、日本の洗面台の排水口の大きさを考慮すると、外側の網状体の開放面の直径を９００〜１５０ｍｍの範囲とし、中間の網状体の開放面の直径を８０〜１４０ｍｍの範囲とし、内側の網状体の開放面の直径を７０〜１３０ｍｍの範囲とするのが好ましい。
【００３２】
また、水滴飛散防止ネット構造体は、上記実施形態の如く、網状体の頂点（上端）に摘まみとして機能する掴持部材を付設したものに限定されず、棒状部材の少なくとも一方の端部等に掴持部材（摘まみ）を付設したものでも良い。
【００３３】
加えて、網状体は、上記実施形態の如く、１０メッシュのものに限定されず、３メッシュ〜５０メッシュの範囲内で必要に応じて適宜変更することができる。また、場合によっては、外側の網状体と中間および／または内側の網状体とで網目（メッシュ数）を異ならせる（たとえば、外側の網状体のメッシュ数を中間および／または内側の網状体のメッシュ数よりも小さくする）ことも可能である。
【産業上の利用可能性】
【００３４】
本発明に係る水滴飛散防止ネット構造体は、上記の如く優れた効果を奏するものであるので、うがい時等における吐き出された水が飛散するのを防止するための水滴飛散防止ネット構造体として好適に用いることができる。
【符号の説明】
【００３５】
１，１’，１”，１１・・水滴飛散防止ネット構造体
２，２’，２”，１２・・網状体
３・・棒状部材
４・・リング体
５・・ゴム部材
６・・掴持部材
【図１】
2016164364.tif 000003
【図２】
2016164364.tif 000004
【図３】
2016164364.tif 000005
【図４】
2016164364.tif 000006
【図５】
2016164364.tif 000007
【図６】
2016164364.tif 000008